(57)【要約】【課題】  つなぎ撮り部分での動画像と音声の連続性を確保する。【解決手段】  本発明では、画面間符号化方式と画面内符号化方式とを用いて動画像信号を符号化する画像符号化手段と、音声信号を符号化する音声符号化手段と、前記符号化された動画像信号と音声信号とを記録媒体に記録する記録手段と、記録停止の指示に応じて、前記動画像信号の記録を停止すると共に、前記動画像信号よりも長い期間前記音声信号を記録した後前記音声信号の記録を停止するよう前記記録手段を制御する制御手段とを備える。【選択図】  図１
2005101836.tif 000002
【特許請求の範囲】
【請求項１】
画面間符号化方式と画面内符号化方式とを用いて動画像信号を符号化する画像符号化手段と、
音声信号を符号化する音声符号化手段と、
前記符号化された動画像信号と音声信号とを記録媒体に記録する記録手段と、
記録停止の指示に応じて、前記動画像信号の記録を停止すると共に、前記動画像信号よりも長い期間前記音声信号を記録した後前記音声信号の記録を停止するよう前記記録手段を制御する制御手段とを備える記録装置。
【請求項２】
前記画像符号化手段は、それぞれ所定数の前記画面内符号化されたフレームと前記画面間符号化されたフレームとからなるグループを単位として符号化を行い、前記記録手段は前記グループ単位で前記動画像信号の記録を停止することを特徴とする請求項１記載の記録装置。
【請求項３】
前記音声符号化手段は所定数のサンプルからなる音声フレームを単位として前記音声信号を符号化し、前記記録手段は前記音声フレーム単位で前記音声信号の記録を停止することを特徴とする請求項１記載の記録装置。
【請求項４】
前記制御手段は、前記動画像信号の記録停止タイミングに対応したサンプルを含む前記音声フレームの信号を全て記録した後記録を停止するよう前記記録手段を制御することを特徴とする請求項３記載の記録装置。
【請求項５】
前記制御手段は、前記動画像信号の記録停止タイミングの後、Ｎフレーム（Ｎは１以上の整数）分の前記音声信号を記録した後記録を停止するよう前記記録手段を制御することを特徴とする請求項３記載の記録装置。
【請求項６】
前記記録手段は前記符号化された動画像信号と符号化された音声信号とを多重して符号化データ列を生成する多重手段を含み、前記制御手段は、前記記録停止の指示に応じて前記動画像信号の記録を停止した後、前記音声信号の記録を停止するまでの間前記符号化された音声信号のみを用いて前記符号化データ列を生成するよう前記多重手段を制御することを特徴とする請求項１記載の記録装置。
【発明の詳細な説明】
【技術分野】
【０００１】
本発明は記録装置に関し、特に動画像信号と音声信号とを記録する装置に関する。
【背景技術】
【０００２】
従来、動画像信号と音声信号を符号化して磁気テープに記録再生する装置が知られている。
【０００３】
この種の装置のうち、特に民生用の装置として、ＤＶフォーマットとよばれる符号化方式に従って動画像信号と音声信号を記録再生するＶＴＲが知られている。ＤＶフォーマットでは、動画像信号に対してはフレーム内で符号化を行い、動画像信号に対応する音声信号はＰＣＭ（Ｐｕｌｓｅ  Ｃｏｄｅ  Ｍｏｄｕｌｅ）符号化を行い記録媒体に記録する。ＤＶフォーマットによって符号化された映像信号ならびに音声信号は、同期がとれた信号であるため、磁気テープ上でつなぎ撮りを行った信号を再生する際、動画像と音声の連続性が保たれている。
【０００４】
一方、近年、動画像信号と音声信号をＭＰＥＧ（Ｍｏｖｉｎｇ  Ｐｉｃｔｕｒｅ  Ｅｘｐｅｒｔｓ  Ｇｒｏｕｐ）方式で磁気テープに記録する方式のＶＴＲも登場し、この様なＭＰＥＧ方式のＶＴＲにおいても、つなぎ撮りにおいてシームレスな再生を可能にする手法が考えられており、例えば特許文献１に記載されている。
【特許文献１】特開平１０−２６２２１１号公報
【発明の開示】
【発明が解決しようとする課題】
【０００５】
しかしながら、ＭＰＥＧ方式で圧縮符号化された映像信号ならびに音声信号を記録媒体に記録する場合、映像信号は１フレームのフレーム内符号化画像を含む所定数のフレームからなるＧＯＰ（Ｇｒｏｕｐ  Ｏｆ  Ｐｉｃｔｕｒｅｓ）を単位として符号化処理を行うのに対し、音声信号は任意のサンプル数を単位として符号化される。
【０００６】
そのため、動画像信号と音声信号の符号化単位が一致せず、図８のように、動画像信号の記録終了時に符号化の途中であったフレームの音声信号が記録されなくなり、再生時において、つなぎ撮り部分の音声の連続性が保たれず無音部分が発生し、シームレスな再生が不可能な現象が存在する。
【０００７】
また、図９のように、ＭＰＥＧ方式で記録を行った場合、ｖｂｖバッファ制御量やＧＯＰ構造の関係などの要因により、つなぎ撮り後の先頭フレームの復号が間に合わず、つなぎ撮り前のフレームがフリーズ状態で再生されてしまうこともある。
【０００８】
この時、音声信号はつなぎ撮り後のフレームが復号され、再生されるために、再生されている動画像信号と音声信号が一致しないという現象も存在する。
【０００９】
本発明はこの様な問題を解決し、ＭＰＥＧ方式などで符号化した動画像信号と共に音声信号を記録する場合に、つなぎ撮り部分での動画像と音声の連続性を確保可能とすることを目的とする。
【課題を解決するための手段】
【００１０】
この様な目的を達成するため、本発明は、画面間符号化方式と画面内符号化方式とを用いて動画像信号を符号化する画像符号化手段と、音声信号を符号化する音声符号化手段と、前記符号化された動画像信号と音声信号とを記録媒体に記録する記録手段と、記録停止の指示に応じて、前記動画像信号の記録を停止すると共に、前記動画像信号よりも長い期間前記音声信号を記録した後前記音声信号の記録を停止するよう前記記録手段を制御する制御手段とを備える構成とした。
【発明の効果】
【００１１】
記録停止時において、動画像信号の記録を停止した後に音声信号の記録を停止するので、つなぎ撮り部分において音声信号が欠落するおそれがない。
【発明を実施するための最良の形態】
【００１２】
図１は本発明を適用した記録再生装置における記録系の構成を示すブロック図である。
【００１３】
図１において、１０１はビデオカメラなどから動画像信号を入力する画像入力部、１０２は入力された動画像信号に対してＭＰＥＧ方式にて符号化処理を行う画像符号化回路である。１０３は音声信号を入力する音声入力部、１０４は入力された音声信号に対して符号化処理を行う音声符号化回路である。音声符号化回路における符号化方式は、画像符号化回路１０２と同様に、ＭＰＥＧオーディオレイヤー１、２、３などのＭＰＥＧ形式であるものとする。
【００１４】
１０５は画像符号化回路１０２で符号化された動画像信号と音声符号化回路１０４で符号化された音声信号をＭＰＥＧのＴＳ（Ｔｒａｎｓｐｏｒｔ  Ｓｔｒｅａｍ）形式やＰＳ（Ｐｒｏｇｒａｍ  Ｓｔｒｅａｍ）形式に従って多重化する多重化回路、１０７は多重化されたＭＰＥＧ符号化データを記録媒体１０７に記録する記録部である。１０８は操作スイッチ１０９の指示に従って装置各部を制御する制御部、１０９は記録トリガボタンや電源スイッチ等各種の操作ボタンを有する操作スイッチである。
【００１５】
図１において、操作スイッチ１０９により記録開始の指示があると、制御部１０８は画像符号化回路１０２と音声符号化回路１０４を制御して動画像信号と音声信号の符号化処理を開始すると共に、記録部１０６を制御して、多重化回路１０５から出力されたＭＰＥＧデータを記録媒体に記録する。
【００１６】
次に、この様に記録を開始した後、操作スイッチ１０９による記録停止の指示に伴う制御部１０８の処理について図２のフローチャートを用いて説明する。
【００１７】
操作スイッチ１０９により記録停止の指示があると図２のフローがスタートする。
【００１８】
記録停止の指示があると、制御部１０８は、まず画像符号化回路１０２に対して符号化処理の停止を指示する（Ｓ２０１）。画像符号化回路１０２は符号化停止の指示があると、停止指示があったフレームを含むＧＯＰの全てのフレームの符号化処理が終了すると動画像信号を符号化を停止する。
【００１９】
一方、音声信号については、動画像信号の記録を停止した後、所定数の音声フレームに対応する期間経過するまで符号化処理を継続する。この間、多重化回路１０５では音声信号のみを用いてＭＰＥＧデータを作成し、記録部１０６に出力する（Ｓ２０２）。
【００２０】
そして、所定期間経過すると音声信号の符号化も停止し、記録部１０６によるＭＰＥＧデータの記録も停止する（Ｓ２０３）。
【００２１】
以上説明した記録停止に伴う動画像信号と音声信号の様子を図３に示す。
【００２２】
図３において、３０１は符号化された動画像信号の様子を示しており、３０２は符号化された音声信号の様子を示している。図３では、動画像信号と音声信号との時間関係を示すために並べて記載しているが、記録媒体１０７に記録する際には、動画像信号３０１と音声信号３０２をそれぞれ所定量のデータからなるパケットに分割し、分割したパケットを適当に多重することで一つのＭＰＥＧデータを生成して記録する。
【００２３】
図３において、ｔ１のタイミングで記録停止の指示があると、このｔ１に対応したフレームを含むＧＯＰ３０１ａの全てのフレーム、つまり時刻ｔ２のフレームまで符号化処理して記録した後、動画像信号の符号化処理を停止する。
【００２４】
そして、この時刻ｔ２に対応した音声サンプルを含む音声フレームを全て、つまり時刻ｔ３までの音声信号を符号化した後音声信号の符号化処理を停止して、記録を停止する。
【００２５】
図３では、動画像信号の記録停止から音声信号の記録停止までの期間が３０３で示す期間となっているが、これは、動画像信号の符号化を停止したタイミングによって変化する。
【００２６】
次に、この様に記録されたＭＰＥＧデータの再生時の処理について説明する。
【００２７】
図４は本発明が適用された記録再生装置の再生系の構成を示すブロック図であり、図１と同様の構成は同一番号を付して説明する。
【００２８】
図４において、１１０は再生部で、記録媒体１０７からＭＰＥＧデータを再生する。１１１は分離回路であり、再生されたＭＰＥＧデータを動画像信号と音声信号とに分離する。１１２は動画復号回路、１１３は音声復号回路であり、それぞれ符号化された動画像信号と音声信号を復号する。１１４は出力部である。
【００２９】
図４において、操作スイッチ１０９により再生の指示があると、制御部１０８は再生部１１０を制御して記録媒体１０７からＭＰＥＧデータの再生を開始する。再生部１１０は再生したＭＰＥＧデータを分離回路１１１に出力し、分離回路１１１は再生されたＭＰＥＧデータを符号化動画像信号と符号化音声信号に分離して、動画像信号を画像復号回路１１２に出力すると共に、音声信号を音声復号回路１１３に出力する。
【００３０】
画像復号回路１１２は再生された動画像信号を復号し、出力部１１４に出力する。また、音声復号回路１１３は再生された音声信号を復号し、出力部１１４に出力する。出力部１１４は復号された動画像信号と音声信号とを外部モニタなどに適した形式に変換して出力する。
【００３１】
次に、つなぎ撮り部分における音声信号の再生処理について、図５を用いて説明する。本形態では、記録停止時において、図３の様に動画像信号と音声信号とを記録している。図５はこの様に記録されたデータの再生時の処理の様子を示す図である。
【００３２】
図５における５０１、５０２はそれぞれ、図３と同様に動画像信号、音声信号を示している。また、５０１ａは記録停止の指示に従い最後に記録されたＧＯＰであり、５０２ａは最後に記録された音声フレームである。５０３はつなぎ撮り位置を示しており、５０３より後のデータはつなぎ撮りにより新たに記録されたデータである。
【００３３】
再生時において、制御部１０８は、最後のＧＯＰ５０１ａの再生タイミングを検出し、この再生タイミングｔ４まで音声信号の復号、再生処理を続けるよう音声復号回路１１３及び再生部１１０を制御する。そして、ｔ４まで再生した後、つなぎ撮りされた次の動画像信号及び音声信号の再生、復号を開始する。
【００３４】
この様に、本形態では、記録停止の指示に従い動画像信号の記録を停止した後も、音声信号はそのまま記録を継続し、所定量の音声信号を記録した時点で記録を停止するため、再生時においては、記録停止部分で音声が欠落することがない。
【００３５】
なお、本形態では、動画像信号の符号化を停止したタイミングで符号化していた音声信号のサンプルを含むフレームの音声信号を符号化した後音声信号の符号化処理を停止したが、１フレームよりも多いフレームだけ音声信号を符号化した後に記録を停止する構成でよい。
【００３６】
即ち、例えば、図６に示すように、動画像信号の記録停止後、この記録停止タイミングを含む音声フレームから４フレーム分の音声信号を記録して停止する。
【００３７】
再生時においては、図７に示すように、つなぎ撮り開始後のＧＯＰにおける最初のフレーム６０１ｃがｖｂｖバッファの影響やＧＯＰ構造の関係から再生表示することができない場合、つなぎ撮り部分の最後のフレーム６０１ｂがフリーズ状態で表示されることになる。このとき、制御部１０８は、音声信号６０２ａをそのまま再生、復号するよう再生部１１０、音声復号回路１１３を制御し、映像信号映像信号と音声信号の関係を保つ。
【図面の簡単な説明】
【００３８】
【図１】本発明が適用される記録再生装置の構成を示す図である。
【図２】記録時の動作を示すフローチャートである。
【図３】記録停止時における動画像信号と音声信号の様子を示す図である。
【図４】記録再生装置の構成を示す図である。
【図５】再生時における動画像信号と音声信号の様子を示す図である。
【図６】記録停止時における動画像信号と音声信号の様子を示す図である。
【図７】再生時における動画像信号と音声信号の様子を示す図である。
【図８】従来の記録停止時における動画像信号と音声信号の様子を示す図である。
【図９】従来の記録停止時における動画像信号と音声信号の様子を示す図である。
【図１】
2005101836.tif 000003
【図２】
2005101836.tif 000004
【図３】
2005101836.tif 000005
【図４】
2005101836.tif 000006
【図５】
2005101836.tif 000007
【図６】
2005101836.tif 000008
【図７】
2005101836.tif 000009
【図８】
2005101836.tif 000010
【図９】
2005101836.tif 000011